(57)【要約】    【課題】  マスターレンズの物体側に装着したとき、広角端での負の歪曲収差を抑え、また、全系の諸収差の変動が小さく良好なる光学性能が得られるワイドコンバーターレンズ及びそれを有する撮像装置を得ること。    【解決手段】  マスターレンズの物体側に装着するワイドコンバーターレンズであって、  該ワイドコンバーターレンズは、物体側より像側へ順に、負の屈折力の前群と正の屈折力の後群からなり、該前群は物体側より像側へ順に、物体側の面が凸形状の２枚の負レンズ、像側の面が凸でメニスカス形状の正レンズからなり、該後群は負レンズと正レンズを有すること。【選択図】    図２
2009210692.tif 000002
【特許請求の範囲】
【請求項１】
マスターレンズの物体側に装着するワイドコンバーターレンズであって、
該ワイドコンバーターレンズは、物体側より像側へ順に、負の屈折力の前群と正の屈折力の後群からなり、
該前群は物体側より像側へ順に、物体側の面が凸形状の２枚の負レンズ、像側の面が凸でメニスカス形状の正レンズからなり、
該後群は負レンズと正レンズを有することを特徴とするワイドコンバーターレンズ。
【請求項２】
前記前群において物体側より数えて第ｉ番目のレンズの物体側と像側の面の曲率半径をそれぞれｒｉ１、ｒｉ２、該第ｉ番目のレンズの形状因子Ｓｉを
Ｓｉ＝（ｒｉ２＋ｒｉ１）／（ｒｉ２−ｒｉ１）
とするとき
−６．５＜Ｓ２＜−１．５
−３．５＜Ｓ３＜−０．７
なる条件式を満足することを特徴とする請求項１に記載のワイドコンバーターレンズ。
【請求項３】
前記前群において物体側より数えて第ｉ番目のレンズの焦点距離をｆｉとするとき
０．２＜ｆ１／ｆ２＜３
なる条件式を満足することを特徴とする請求項１又は２に記載のワイドコンバーターレンズ。
【請求項４】
前記後群の負レンズと正レンズは接合されていることを特徴とする請求項１、２又は３に記載のワイドコンバーターレンズ。
【請求項５】
前記後群は、物体側から像側へ順に負レンズ、正レンズ、正レンズよりなることを特徴する請求項１、２又は３に記載のワイドコンバーターレンズ。
【請求項６】
請求項１乃至５のいずれか１項に記載のワイドコンバーターレンズと、該ワイドコンバーターレンズを装着するマスターレンズと、これらによって形成された像を受光する撮像素子と、を有することを特徴とする撮像装置。
【発明の詳細な説明】
【技術分野】
【０００１】
本発明はデジタルスチルカメラやビデオカメラ、フィルム用カメラ、放送用カメラなどに用いられる撮影レンズ（以下マスターレンズ）の物体側に装着し、全系の焦点距離を短い方向に変化させるフロント方式のワイドコンバーターレンズに関する。
【背景技術】
【０００２】
従来、レンズ系全体の焦点距離を短くし、撮影画角を広げる方式として、マスターレンズ（主レンズ系）の物体側にアフォーカル系より成るワイドコンバーターレンズを装着するフロント方式が知られている。このフロント方式は、マスターレンズにコンバーターレンズを装着してもマスターレンズ本来が有するＦナンバーが変化しないという利点がある。
【０００３】
ワイドコンバーターレンズとして、物体側から像側へ順に負の屈折力の前群と、正の屈折力の後群とで構成され、全体としてアフォーカル系を構成したものが知られている（特許文献１〜３）。
【０００４】
特許文献１では、物体側より像側へ順に、負の屈折力の第１レンズと、負の屈折力の第２レンズより成る前群と、正の屈折力の第３レンズよりなる後群の全体として３枚のレンズより成るコンバーターレンズを開示している。
【０００５】
特許文献２、３では、負の屈折力の第１レンズ、正の屈折力の第２レンズより成る前群と、負の屈折力の第３レンズ、正の屈折力の第４レンズから成る後群の全体として４枚のレンズより成るコンバーターレンズを開示している。
【０００６】
特許文献２、３では全体として４枚のレンズを用いることで、画質劣化の少ない高性能化を図ったワイドコンバーターレンズを開示している。
【特許文献１】特開平４−１１６５１１号公報
【特許文献２】特開２０００−１７１７０９号公報
【特許文献３】特開２０００−２４１７００号公報
【発明の開示】
【発明が解決しようとする課題】
【０００７】
近年、イメージセンサーである固体撮像素子の狭画素による画素の高ピッチ化、またテレビカメラ等では、モニターのハイビジョン化や大型化に伴い、撮影レンズには、高い光学性能を有することが望まれている。そのため、撮影レンズ（マスターレンズ）に取り付けるワイドコンバーターレンズには、高い光学性能を持つことが要求されている。
【０００８】
更にワイドコンバーターレンズには、マスターレンズに装着したときマスターレンズに対して焦点距離の変化率が大きいこと、即ちアフォーカル倍率が小さいことが要求されている。
【０００９】
尚、ここでアフォーカル倍率αとは、マスターレンズの焦点距離（ズームレンズのときは広角端における焦点距離）をｆＭ、ワイドコンバーターレンズをマスターレンズに装着したときの全系の焦点距離をｆ全とする。
【００１０】
このとき
ｆ全＝α・ｆＭ
で表わされる。
【００１１】
一般にワイドコンバーターレンズをマスターレンズの物体側に装着すると、軸外光束がレンズ周辺部を通過するという光学性質から、像面湾曲や歪曲収差、倍率色収差の変化が大きくなってくる。
【００１２】
例えばワイドコンバーターレンズをズームレンズに装着すると、多くの場合、広角端において歪曲収差や像面湾曲が増大してくる。
【００１３】
特に歪曲収差は縦横比１６：９のハイビジョンモニターにおいて、従来の４：３のモニターよりも最大像高と短辺像高の歪曲の差が大きくなり、樽状（歪曲収差）の歪みが目立つようになる。
【００１４】
特許文献２、３に開示されているワイドコンバーターレンズは全体として４枚のレンズを用いて広角端における負の歪曲収差を小さく抑えている。しかしながらアフォーカル倍率が０．７倍程度であり、アフォーカル倍率が必ずしも十分小さいものではない。
【００１５】
アフォーカル倍率が小さくなると、各レンズのパワーが全体的に大きくなり、その影響で諸収差の発生が大きくなってくる。
【００１６】
本発明は、マスターレンズの物体側に装着したとき、広角端での負の歪曲収差を抑え、また、全系の諸収差の変動が小さく良好なる光学性能が得られるワイドコンバーターレンズ及びそれを有する撮像装置の提供を目的とする。
【課題を解決するための手段】
【００１７】
本発明のワイドコンバーターレンズは、マスターレンズの物体側に装着するワイドコンバーターレンズであって、
該ワイドコンバーターレンズは、物体側より像側へ順に、負の屈折力の前群と正の屈折力の後群からなり、
該前群は物体側より像側へ順に、物体側の面が凸形状の２枚の負レンズ、像側の面が凸でメニスカス形状の正レンズからなり、
該後群は負レンズと正レンズを有することを特徴としている。
【発明の効果】
【００１８】
本発明によれば、マスターレンズの物体側に装着したとき、広角端での負の歪曲収差を抑え、また、全系の諸収差の変動が小さく良好なる光学性能が得られるワイドコンバーターレンズ及びそれを有する撮像装置が得られる。
【発明を実施するための最良の形態】
【００１９】
以下に本発明のワイドコンバーターレンズ及びそれを撮影レンズ（マスターレンズ、主レンズ系）に装着したときの実施形態について説明する。
【００２０】
本発明のワイドコンバーターレンズは、マスターレンズの物体側に着脱可能に装着される。ワイドコンバーターレンズは、物体側より像側へ順に、負の屈折力の前群と正の屈折力の後群からなっている。
【００２１】
前群は物体側より像側へ順に、物体側の面が凸形状の２枚の負レンズと像側の面が凸でメニスカス形状の正レンズの３枚からなっている。
【００２２】
後群は負レンズと正レンズを少なくとも１枚ずつ有している。
【００２３】
各実施例のワイドコンバーターレンズは全体として５枚又は６枚のレンズより成っている。
【００２４】
図１は本発明の実施例１のワイドコンバーターレンズＣのレンズ断面図である。
【００２５】
図２は本発明の実施例１のワイドコンバーターレンズＣをマスターレンズＭの物体側に装着したときのレンズ断面図である。
【００２６】
マスターレンズＭは本発明のワイドコンバーターレンズを着脱可能に装着する一例として選んだズーミング作用を有するズームレンズである。
【００２７】
尚、マスターレンズＭは単一の焦点距離の撮影レンズであっても良い。
【００２８】
図３、図４、図５は本発明の実施例１のワイドコンバーターレンズをマスターレンズＭの物体側に装着したときの広角端（短焦点距離端）、中間のズーム位置、望遠端（長焦点距離端）における収差図である。
【００２９】
図６は本発明の実施例２のワイドコンバーターレンズのレンズ断面図である。
【００３０】
図７、図８、図９は本発明の実施例２のワイドコンバーターレンズをマスターレンズの物体側に装着したときの広角端、中間のズーム位置、望遠端における収差図である。
【００３１】
図１０は本発明の実施例３のワイドコンバーターレンズのレンズ断面図である。
【００３２】
図１１、図１２、図１３は本発明の実施例３のワイドコンバーターレンズをマスターレンズの物体側に装着したときの広角端、中間のズーム位置、望遠端における収差図である。
【００３３】
図１４は本発明の実施例４のワイドコンバーターレンズのレンズ断面図である。
【００３４】
図１５、図１６、図１７は本発明の実施例４のワイドコンバーターレンズをマスターレンズの物体側に装着したときの広角端、中間のズーム位置、望遠端における収差図である。
【００３５】
図１８は本発明の実施例５のワイドコンバーターレンズのレンズ断面図である。
【００３６】
図１９、図２０、図２１は本発明の実施例５のワイドコンバーターレンズをマスターレンズの物体側に装着したときの広角端、中間のズーム位置、望遠端における収差図である。
【００３７】
図２２は本発明の実施例６のワイドコンバーターレンズのレンズ断面図である。
【００３８】
図２３、図２４、図２５は本発明の実施例６のワイドコンバーターレンズをマスターレンズの物体側に装着したときの広角端、中間のズーム位置、望遠端における収差図である。
【００３９】
図２６、図２７、図２８は図２に示すマスターレンズＭのみの広角端、中間のズーム位置、望遠端における収差図である。
【００４０】
図２９は、本発明のワイドコンバーターレンズを有する撮像装置の説明図である。
【００４１】
レンズ断面図において、Ｃはワイドコンバーターレンズ、Ｍはマスターレンズ（主レンズ系）である。
【００４２】
レンズ断面図において、左方が物体側で、右方が像側である。レンズ断面図においてｉは物体側からのレンズの順番を示し、Ｌｉは第ｉレンズである。
【００４３】
各実施例のコンバーターレンズＣはビデオカメラやデジタルカメラそして銀塩フィルムカメラ等の撮像装置に用いられる撮影レンズ系の物体側に着脱可能に装着される。
【００４４】
収差図において、ｄはｄ線（波長５８７．６ｎｍ）、ｇはｇ線（波長４３５．８ｎｍ）である。ΔＭはメリディオナル像面、ΔＳはサジタル像面、倍率色収差はｇ線によって表わしている。
【００４５】
ＦｎｏはＦナンバーである。ωは半画角である。
【００４６】
各実施例のワイドコンバーターレンズＣは、マスターレンズＭの物体側に装着して全系の焦点距離をマスターレンズＭ単独のときの焦点距離（ズームレンズのときは広角端の焦点距離）に比べて短縮する方向へと変化させている。
【００４７】
即ち、マスターレンズＭ単独のときの撮影画角（ズームレンズのときは広角端における撮影画角）に比べて広画角へと変化させている。
【００４８】
各実施例のワイドコンバーターレンズＣはアフォーカル系を構成している。コンバーターレンズＣは負の屈折力（光学的パワー＝焦点距離の逆数）の前群ＬＦと正の屈折力の後群ＬＲより成っている。
【００４９】
前群ＬＦは負の屈折力の第１レンズＬ１、負の屈折力の第２レンズＬ２、正の屈折力の第３レンズＬ３より成っている。
【００５０】
後群ＬＲは負の屈折力の第４レンズ、正の屈折力の第５レンズより又は負の屈折力の第４レンズ、正の屈折力の第５レンズ、正の屈折力の第６レンズよりなっている。
【００５１】
各実施例のワイドコンバーターレンズＣにおいて、前群ＬＦは物体側より像側へ順に、物体側に凸面を向けた２枚の負レンズを有するようにしている。これにより前群ＬＦの負のパワーを分割することに加え、２つの負レンズを物体側に凸面を向けた形状とすることで光線の入射角を小さくして、負の歪曲収差の発生を抑えている。
【００５２】
更に、前群ＬＦの像側に正レンズを配置することで、正の歪曲収差を発生させ、２枚の負レンズで発生した負の歪曲収差を補正すると同時に、２枚の負レンズで発生した軸上色収差、倍率色収差等を補正している。
【００５３】
また、正レンズの物体側の面を凹形状にすることで、望遠端において軸上光束に対する入射角を小さくして球面収差の発生を小さく抑えている。
【００５４】
又、後群ＬＲを正レンズと負レンズを各々少なくとも１つ有するようにしている。そして全体として５又は６枚のレンズで構成している。これによりマスターレンズに装着したとき全系の光学性能を良好に維持している。
【００５５】
特にマスターレンズがズームレンズのときは、全ズーム域において良好な光学性能を維持している。
【００５６】
以上のようにワイドコンバーターレンズを構成すれば、マスターレンズに装着しても、広角端における負の歪曲収差を抑えることができ、また、全ズーム領域で良好な光学性能を得ることができる。又アフォーカル倍率が小さい、例えば０．６２程度のワイドコンバーターレンズが得られる。
【００５７】
又、各実施例において、更に好ましくは次の条件式のうち１以上を満足するように構成するのが良い。それによれば、各条件式に対応した効果が得られる。
【００５８】
前群ＬＦにおいて物体側より数えて第ｉ番目のレンズの物体側と像側の面の曲率半径をそれぞれｒｉ１、ｒｉ２とする。第ｉ番目のレンズの形状因子Ｓｉを
Ｓｉ＝（ｒｉ２＋ｒｉ１）／（ｒｉ２−ｒｉ１）
とする。
【００５９】
前群ＬＦにおいて物体側より数えて第ｉ番目のレンズの焦点距離をｆｉとする。
【００６０】
このとき
−６．５＜Ｓ２＜−１．５    ・・・・（１）
−３．５＜Ｓ３＜−０．７    ・・・・（２）
０．２＜ｆ１／ｆ２＜３    ・・・・（３）
なる条件式のうち１以上を満足するのが良い。
【００６１】
条件式（１）は前群ＬＦの負の第２レンズＬ２のレンズ形状に関する式である。条件式（１）の上限値を超えると、前群ＬＦの第２レンズＬ２の物体側のレンズ面の曲率半径が大きくなるために入射角が軸外の光線ほど大きくなる。この結果、負の歪曲収差が大きく発生するので好ましくない。
【００６２】
一方、下限値を超えると像側のレンズ面の曲率半径が小さくなるため高次収差が多く発生し、広角端において像高が高い位置でメリディオナル光線の像面湾曲がオーバーに発生し、像の平坦性が損なわれるので良くない。
【００６３】
条件式（２）は前群ＬＦの正の第３レンズＬ３のレンズ形状に関する式である。条件式（２）の上限値を超えると、第３レンズＬ３の物体側のレンズ面が物体側に凸の形状となり、軸上光束に対する入射角が大きくなるため望遠端において球面収差がアンダーに発生するので良くない。
【００６４】
一方、下限値を超えると第３レンズＬ３の物体側の凹面の曲率半径が小さくなり軸外光線の入射角が大きくなる。そのため広角端においてメリディオナル光線の像面湾曲がアンダー側に発生し、像の平坦性が保てなくなるので良くない。
【００６５】
条件式（３）は前群ＬＦの第１レンズＬ１と第２レンズＬ２の焦点距離の比を規定しており、前群ＬＦの負のパワーの分担比を示す条件式である。
【００６６】
この条件式（３）の上限値、又は下限値を超えることは、どちらかの負レンズに負のパワーが偏っていることを意味し収差補正上好ましくない。条件式（３）の上限又は下限の範囲を越えると広角端において歪曲収差および非点収差の両方をバランス良く補正することが困難となる。
【００６７】
尚、更に好ましくは条件式（１）〜（３）の数値範囲を次の如く設定するのが良い。
【００６８】
−６．３０＜Ｓ２＜−１．６０        ・・・・（１ａ）
−３．３０＜Ｓ３＜−１．００        ・・・・（２ａ）
０．２４＜ｆ１／ｆ２＜２．８０    ・・・・（３ａ）
各実施例において更に好ましくは、後群ＬＲは独立した負レンズと正レンズより成ること、又は負レンズと正レンズの接合レンズより成ることが良い。
【００６９】
このときの負レンズは両凹形状、正レンズは両凸形状が良い。又は負レンズは像側が凸でメニスカス形状、正レンズは像側が凸でメニスカス形状が良い。
【００７０】
又は後群ＬＲは、物体側から像側へ順に互いに独立した両凹形状の負レンズ、物体側が凸面の正レンズ、両凸形状の正レンズより成ることが良い。これによれば良好なる光学性能のワイドコンバーターレンズが容易に得られる。
【００７１】
特に後群ＬＲを負レンズと正レンズを接合レンズとすれば、後群ＬＲ内の色消しを効果的におこない、全ズーム域において良好に色収差の補正を実現する事が容易となる。
【００７２】
また、各実施例において、より好ましくは軸外光束がレンズの周辺部を通過する前群ＬＦに少なくとも１面の非球面を配置するのが良い。これによれば、より効果的に広角端における歪曲収差を良好に補正することが出来る。
【００７３】
次に図２に示したマスターレンズＭのレンズ構成について説明する。
【００７４】
図２のレンズ断面図において、ＺＬ１は正の屈折力(光学パワー＝焦点距離の逆数)の第１レンズ群、ＺＬ２は負の屈折力の第２レンズ群、ＺＬ３は正の屈折力の第３レンズ群、ＺＬ４は正の屈折力の第４レンズ群である。ＳＰは開口絞りであり、第３レンズ群ＺＬ３の物体側に位置している。
【００７５】
ＦＬは光学フィルター、フェースプレート等に相当する光学ブロックである。ＩＭＧは像面であり、ビデオカメラやデジタルカメラの撮影光学系として使用する際にはＣＣＤセンサやＣＭＯＳセンサ等の固体撮像素子（光電変換素子）の撮像面が、銀塩フィルム用カメラの撮像光学系とし使用する際にはフィルム面に相当する。
【００７６】
広角端から望遠端へのズーミングに際して矢印のように、第２レンズ群ＺＬ２を像側へ移動させて変倍を行うと共に、変倍に伴う像面変動を第４レンズ群ＺＬ４を物体側に凸状の軌跡を有するよう移動させて補正している。
【００７７】
また第４レンズ群ＺＬ４を光軸上移動させてフォーカシングを行うリアフォーカス式を採用している。第４レンズ群ＺＬ４に関する実線の曲線４ａと点線の曲線４ｂは、各々無限遠物体と近距離物体にフォーカスしているときの変倍に伴う像面変動を補正するための移動軌跡である。
【００７８】
又、望遠端において無限遠物体から近距離物体へフォーカスを行う場合には、矢印４ｃに示すように第４レンズ群ＺＬ４を前方に繰り出すことで行っている。
【００７９】
尚、第１レンズ群ＺＬ１と第３レンズ群ＺＬ３、そして開口絞りＳＰは、ズーム及びフォーカスの為には光軸方向に移動しないが、収差補正上必要に応じて移動させても良い。尚、マスターレンズＭはこの構成に限らず、どのようなズームタイプのズームレンズであっても良い。
【００８０】
次に本発明のワイドコンバーターレンズを主レンズ系に装着し、撮影光学系として用いたビデオカメラの実施形態を図２９を用いて説明する。
【００８１】
図２９において、１０はビデオカメラ本体、１１は本発明のワイドコンバーターレンズを主レンズ系に装着した撮影光学系である。１２は撮影光学系１１によって被写体像を受光するＣＣＤセンサやＣＭＯＳセンサ等の固体撮像素子（光電変換素子）、１３は撮像素子１２が受光した被写体像を記録するメモリである。１４は不図示の表示素子に表示された被写体像を観察するためのファインダーである。上記表示素子は液晶パネル等によって構成され、撮像素子１２上に形成された被写体像が表示される。
【００８２】
このように本発明の撮影光学系をビデオカメラ等の撮像装置に適用することにより、高い光学性能を有する撮像装置が実現できる。
【００８３】
以下に、本発明の各実施例のワイドコンバーターレンズの各実施例の数値実施例とマスターレンズの数値実施例について示す。
【００８４】
数値実施例において、ｉは物体側からの光学面の順序を示す。Ｒｉは物体側から数えて第ｉ番目の面の曲率半径である。Ｄｉは物体側から数えて第ｉ番目の面と第ｉ＋１番目の面との間の面間隔である。Ｎｉは第ｉ番目のレンズの材料のｄ線における屈折率、νｉは第ｉ番目のレンズの材料のｄ線におけるアッベ数である。
【００８５】
ｆは焦点距離、ＦｎｏはＦナンバー、ωは半画角である。
【００８６】
マスターレンズにおける非球面形状は光軸方向にＸ軸、光軸と垂直方向にＨ軸、光の進行方向を正とし、Ｒを近軸曲率半径、Ｋを円錐定数、率半径、Kを円錐定数、Ｃ３、Ｃ５、Ｃ７、Ｃ９、Ｃ１１を各々非球面係数としたとき
【００８７】
【数１】
2009210692.tif 000003
【００８８】
で表示される。
【００８９】
また、「ｅ−Ｘ」は「×１０−Ｘ」を意味している。尚、非球面は各表中の面番号の左側に＊印を付している。
【００９０】
又前述の各条件式と数値実施例における諸数値との関係を表１に示す。
【００９１】
（実施例1）
ワイドコンバーターレンズ
コンバーター全長  44.3
アフォーカル倍率  0.62倍
i      Ri                   Di                   Ni            νi
1      43.91303             2.79875              1.729157      54.68
2      24.86152             9.06119
3      69.04732             2.70823              1.743198      49.34
4      36.65692             9.83974
5      -160.702             4.91416              1.808095      22.76
6      -43.9649             7.87207
7      -20.8063             1.94348              1.72342       37.95
8      24.08357             5.1675               1.772499      49.6
9      -25.2606             3.56131
マスターレンズに取付時の仕様
f=2.00〜8.26〜19.05
Fno=1.85〜2.20〜2.80
ω＝41.51〜12.08〜5.31°
【００９２】
（実施例2）
ワイドコンバーターレンズ
コンバーター全長  43.84
アフォーカル倍率  0.62倍
i      Ri                   Di                   Ni            νi
1      33.32802             1.99908              1.772499      49.6
2      20.93438             12.36791      
3      185.0114             1.92232              1.48749       70.23
4      45.50845             9.63204       
5      -78.2723             3.98585              1.92286       18.9
6      -40.8793             7.6336 
7      -38.1289             2.30757              1.761821      26.52
8      92.50559             0.76796       
9      57.45924             3.23012              1.788001      47.37
10     -48.4209             3.56131       
マスターレンズに取付時の仕様
f=2.00〜8.26〜19.05
Fno=1.85〜2.20〜2.80
ω＝41.51〜12.08〜5.31°
【００９３】
（実施例3）
ワイドコンバーターレンズ
コンバーター全長  44.29
アフォーカル倍率  0.62倍
i      Ri                   Di                   Ni            νi
1      42.83776             1.99889              1.729157      54.68
2      25.93122             9.26687       
3      74.86179             2.57486              1.743198      49.34
4      31.02145             7.7053 
5      -769.028             5.58124              1.808095      22.76
6      -48.442              7.97548       
7      -25.5713             2.75603              1.72342       37.95
8      18.25087             6.43767              1.772499      49.6
9      -31.2974             3.56131       
マスターレンズに取付時の仕様
f=2.00〜8.26〜19.05
Fno=1.85〜2.20〜2.80
ω＝41.51〜12.08〜5.31°
【００９４】
（実施例4）
ワイドコンバーターレンズ
コンバーター全長  44.3
アフォーカル倍率  0.62倍
i      Ri                   Di                   Ni            νi
1      34.34281             1.99937              1.729157      54.68
2      25.16591             10.55739      
3      100.011              2.67904              1.743198      49.34
4      28.25395             7.73432       
5      -302.344             5.58126              1.808095      22.76
6      -42.0711             7.99673       
7      -20.3094             2.27718              1.72342       37.95
8      20.43802             5.47908              1.772499      49.6
9      -24.9                3.56131       
マスターレンズに取付時の仕様
f=2.00〜8.26〜19.05
Fno=1.85〜2.20〜2.80
ω＝41.51〜12.08〜5.31°
【００９５】
（実施例5）
ワイドコンバーターレンズ
コンバーター全長  44.47
アフォーカル倍率  0.62倍
i      Ri                   Di                   Ni            νi
1      45.24178             2.00573              1.729157      54.68
2      23.07881             10.84694               
3      57.67059             2.03874              1.603112      60.64
4      41.26396             8.81939                
5      -154.974             5.23098              1.761821      26.52
6      -40.5937             8.93174                
7      -19.153              3.57914              1.761821      26.52
8      -46.9675             0.80961                
9      -36.9254             2.2156               1.804         46.57
10     -20.1769             3.56131                
マスターレンズに取付時の仕様
f=2.00〜8.26〜19.05
Fno=1.85〜2.20〜2.80
ω＝41.51〜12.08〜5.31°
【００９６】
（実施例6）
ワイドコンバーターレンズ
コンバーター全長  46.14
アフォーカル倍率  0.62倍
i      Ri                   Di                   Ni            νi
1      34.59086             1.99783              1.696797      55.53
2      21.62507             10.84473               
3      40.03677             1.92058              1.729157      54.68
4      26.9391              10.53645               
5      -108.233             4.70113              1.808095      22.76
6      -40.4269             5.57778                
7      -39.7564             1.53682              1.717362      29.5
8      74.75374             1.53539                
9      35.77585             2.88291              1.772499      49.6
10     51.30523             1.53657                
11     312.2091             3.07503              1.754998      52.32
12     -42.7152             3.56131                
マスターレンズに取付時の仕様
f=2.00〜8.26〜19.05
Fno=1.85〜2.20〜2.80
ω＝41.51〜12.08〜5.31°
【００９７】
マスターレンズ
i      Ri                   Di                   Ni            νi
1      29.77549             0.73072              1.84666       23.93
2      13.03529             2.94643              1.696797      55.53
3      -15188.3             0.13076                
4      12.25057             1.7606               1.772499      49.6
5      33.85242             D1              
6      32.81784             0.46151              1.882997      40.76
7      3.58957              1.52706                
8      -14.0713             0.46151              1.804         46.57
9      11.50377             0.42926                
10     7.84118              0.88456              1.92286       18.9
11     35.18455             D2              
12     絞り                 0.88456                
13※   5.58649              1.80758              1.6935        53.2
14※   -15379.8             1.32937                
15     8.90121              0.46151              1.84666       23.93
16     4.47722              0.5562          
17     25.61472             0.80764              1.48749       70.23
18     -21.7075             D3              
19     7.21164              2.03833              1.696797      55.53
20     -7.21164             0.38459              1.84666       23.93
21     -38.3401             D4              
22     ∞                   1.69989              1.51633       64.14
23     ∞                   1.10215                
広角端        中間        望遠端
D1               0.384591005   7.757201    10.2147371
D2               11.08473153   3.712122    1.254585436
D3               2.892843338   1.561010    4.782117684
D4               2.96363521    4.295468    1.074360864
f                3.22          13.34       31.02
Fno              1.85          2.20        2.80
ω               28.79°       7.56°      3.27°
像高             1.77          1.77        1.77
レンズ全長       37.73         37.73       37.73
バックフォーカス 5.186845      6.518678    3.312228
変倍比9.63
非球面係数
R13    k= -0.993934197  C3=2.970881E-04  C5=-1.301538E-05
C7=-1.662320E-06 C9=6.591438E-07  C11=-9.113045E-08
R14    k= -705031.5204  C3= 3.800174E-04  C5= -1.201052E-04
C7= 1.679303E-05 C9= -1.641687E-06  C11=0
【００９８】
【表１】
2009210692.tif 000004
【図面の簡単な説明】
【００９９】
【図１】本発明の実施例１のレンズ断面図
【図２】本発明の実施例１をマスターレンズに取り付けた状態の断面図
【図３】本発明の実施例１をマスターレンズに取り付けた際の広角端での収差図
【図４】本発明の実施例１をマスターレンズに取り付けた際の中間焦点距離での収差図
【図５】本発明の実施例１をマスターレンズに取り付けた際の望遠端での収差図
【図６】本発明の実施例２のレンズ断面図
【図７】本発明の実施例２をマスターレンズに取り付けた際の広角端での収差図
【図８】本発明の実施例２をマスターレンズに取り付けた際の中間焦点距離での収差図
【図９】本発明の実施例２をマスターレンズに取り付けた際の望遠端での収差図
【図１０】本発明の実施例３のレンズ断面図
【図１１】本発明の実施例３をマスターレンズに取り付けた際の広角端での収差図
【図１２】本発明の実施例３をマスターレンズに取り付けた際の中間焦点距離での収差図
【図１３】本発明の実施例３をマスターレンズに取り付けた際の望遠端での収差図
【図１４】本発明の実施例４のレンズ断面図
【図１５】本発明の実施例４をマスターレンズに取り付けた際の広角端での収差図
【図１６】本発明の実施例４をマスターレンズに取り付けた際の中間焦点距離での収差図
【図１７】本発明の実施例４をマスターレンズに取り付けた際の望遠端での収差図
【図１８】本発明の実施例５のレンズ断面図
【図１９】本発明の実施例５をマスターレンズに取り付けた際の広角端での収差図
【図２０】本発明の実施例５をマスターレンズに取り付けた際の中間焦点距離での収差図
【図２１】本発明の実施例５をマスターレンズに取り付けた際の望遠端での収差図
【図２２】本発明の実施例６のレンズ断面図
【図２３】本発明の実施例６をマスターレンズに取り付けた際の広角端での収差図
【図２４】本発明の実施例６をマスターレンズに取り付けた際の中間焦点距離での収差図
【図２５】本発明の実施例６をマスターレンズに取り付けた際の望遠端での収差図
【図２６】マスターレンズの広角端での収差図
【図２７】マスターレンズの中間焦点距離での収差図
【図２８】マスターレンズの望遠端での収差図
【図２９】本発明の撮像装置の要部概略図
【符号の説明】
【０１００】
ＬＦ  ワイドコンバーターレンズの前群
ＬＲ  ワイドコンバーターレンズの後群
Ｌ１  第１レンズ
Ｌ２  第２レンズ
Ｌ３  第３レンズ
Ｌ４  第４レンズ
Ｌ５  第５レンズ
Ｌ６  第６レンズ
Ｃ    ワイドコンバーターレンズ
Ｍ    撮影レンズ（マスターレンズ）
ＦＬ  光学フィルター
ＳＰ    開口絞り
ＩＭＧ  撮像素子
ΔＭ  メリディオナル像面
ΔＳ  サジタル像面
【図１】
2009210692.tif 000005
【図２】
2009210692.tif 000006
【図３】
2009210692.tif 000007
【図４】
2009210692.tif 000008
【図５】
2009210692.tif 000009
【図６】
2009210692.tif 000010
【図７】
2009210692.tif 000011
【図８】
2009210692.tif 000012
【図９】
2009210692.tif 000013
【図１１】
2009210692.tif 000014
【図１２】
2009210692.tif 000015
【図１３】
2009210692.tif 000016
【図１４】
2009210692.tif 000017
【図１５】
2009210692.tif 000018
【図１６】
2009210692.tif 000019
【図１７】
2009210692.tif 000020
【図１８】
2009210692.tif 000021
【図１９】
2009210692.tif 000022
【図２０】
2009210692.tif 000023
【図２１】
2009210692.tif 000024
【図２２】
2009210692.tif 000025
【図２３】
2009210692.tif 000026
【図２４】
2009210692.tif 000027
【図２５】
2009210692.tif 000028
【図２６】
2009210692.tif 000029
【図２７】
2009210692.tif 000030
【図２８】
2009210692.tif 000031
【図２９】
2009210692.tif 000032
【図１０】
2009210692.tif 000033